(57)【特許請求の範囲】
【請求項１】
需要者用端末と、所定の通信網を介して前記需要者用端末に接続される供給者用サーバと、を備える情報提供システムであって、
前記需要者用端末は、
所定の工事内容又は所定の不良内容を入力する工事・不良入力手段と、
前記工事・不良入力手段の入力に対して前記供給者用サーバから出力される機器提示情報に応じて１又は複数の機器を表示する表示手段と、
所定の工事における工事スケジュール及び該工事に必要な所定の機器に関する情報を含む工事情報を、需要者が入力可能であり、前記表示手段に表示された１又は複数の機器から、前記工事・不良入力手段により入力される前記工事内容又は不良内容に必要な所定の機器に関する情報を、需要者が選択可能な工事情報入力手段と、
前記工事・不良入力手段により入力される前記工事内容又は不良内容、及び前記工事情報入力手段により入力される前記工事情報を前記供給者用サーバに出力可能な需要者用端末側出力手段と、を備え、
前記供給者用サーバは、
前記需要者用端末側出力手段から出力される前記工事内容又は不良内容、及び前記工事情報を取得可能な供給者用サーバ側取得手段と、
異なる複数の機器に関する在庫状況及び／又は入荷スケジュールに関する情報を含む機器情報を記憶する記憶手段と、
前記工事・不良入力手段により入力される工事内容又は不良内容に応じて、前記記憶手段に記憶される前記異なる複数の機器から１又は複数の機器を提示する提示手段と、
前記記憶手段に記憶される前記機器情報から、前記供給者用サーバ側取得手段により取得される前記工事情報に含まれる前記工事に必要な所定の機器の在庫状況及び／又は入荷スケジュールに関する在庫・入荷情報を抽出可能な抽出手段と、
前記提示手段により提示される前記１又は複数の機器に関する情報である機器提示情報、及び前記抽出手段により抽出される前記在庫・入荷情報を、前記需要者用端末に出力する供給者用サーバ側出力手段と、
を備える情報提供システム。
【請求項２】
前記供給者用サーバは、
前記抽出手段により抽出された在庫・入荷情報に基づいて、前記所定の機器を前記工事スケジュールに対応して供給できるかを判断する判断手段と、を更に備え、
前記供給者用サーバ側出力手段は、前記判断手段により判断された判断結果情報を前記需要者用端末に出力する請求項１に記載の情報提供システム。
【請求項３】
前記供給者用サーバは、
前記在庫・入荷情報に基づいて、前記工事スケジュールに対応して前記所定の機器を供給可能な発注の期限を算出する発注期限算出手段と、を更に備え、
前記供給者用サーバ側出力手段は、前記発注期限算出手段により算出される発注期限に関する発注期限情報を前記需要者用端末に出力する請求項１又は２に記載の情報提供システム。
【請求項４】
前記需要者用端末は、
前記所定の機器を発注する発注手段と、を更に備え、
前記供給者用サーバは、
前記発注手段により発注された前記所定の機器における納入スケジュールを算出する納入スケジュール算出手段と、を更に備え、
前記供給者用サーバ側出力手段は、前記納入スケジュール算出手段により算出される納入スケジュールに関する納入スケジュール情報を前記需要者用端末に出力する請求項１から３のいずれかに記載の情報提供システム。
【請求項５】
所定の通信網を介して需要者用端末に接続される供給者用サーバであって、
異なる複数の機器に関する在庫状況及び／又は入荷スケジュールに関する情報を含む機器情報を記憶する記憶手段と、
前記需要者用端末から出力される工事内容又は不良内容に応じて、前記記憶手段に記憶される前記異なる複数の機器から１又は複数の機器を提示する提示手段と、
前記提示手段により提示される前記１又は複数の機器に関する情報である機器提示情報を前記需要者用端末に出力する供給者用サーバ側出力手段と、
前記需要者用端末から出力される、需要者が入力した所定の工事における工事スケジュール、及び前記供給者用サーバ側出力手段が出力する前記機器提示情報に基づいて需要者が入力した前記工事又は不良に必要な所定の機器に関する情報を含む工事情報を需要者用端末から取得可能な供給者用サーバ側取得手段と、
前記記憶手段に記憶される前記機器情報から、前記供給者用サーバ側取得手段により取得される前記工事情報に含まれる前記工事又は不良に必要な所定の機器の在庫状況及び／又は入荷スケジュールに関する在庫・入荷情報を抽出可能な抽出手段と、
を備え、
前記供給者用サーバ側出力手段は、前記抽出手段により抽出される前記在庫・入荷情報を前記需要者用端末に出力する、
供給者用サーバ。
【請求項６】
前記抽出手段により抽出された在庫・入荷情報に基づいて、前記工事情報に含まれる前記所定の機器の供給が前記工事スケジュールに対応可能であるかを判断する判断手段と、を更に備え、
前記供給者用サーバ側出力手段は、前記判断手段により判断された判断結果情報を前記需要者用端末に出力する請求項５に記載の供給者用サーバ。
【請求項７】
前記在庫・入荷情報に基づいて、前記工事スケジュールに対応して前記所定の機器を供給可能な発注の期限を算出する発注期限算出手段と、を更に備え、
前記供給者用サーバ側出力手段は、前記発注期限算出手段により算出される発注期限に関する発注期限情報を前記需要者用端末に出力する請求項５又は６に記載の供給者用サーバ。
【請求項８】
前記需要者用端末により発注された前記所定の機器における納入スケジュールを算出する納入スケジュール算出手段と、を更に備え、
前記供給者用サーバ側出力手段は、前記納入スケジュール算出手段により算出される納入スケジュールに関する納入スケジュール情報を前記需要者用端末に出力する請求項７に記載の供給者用サーバ。
【発明の詳細な説明】
【技術分野】
【０００１】
本発明は、所定の工事に必要な機器に関する情報を提供する情報提供システムに関する。
【背景技術】
【０００２】
従来より、需要者が工事に必要な部材や装置等の機器を発注した場合、供給メーカー側の在庫の関係上、事前に工事予定に応じた機器の供給ができない場合があるという問題があった。また、供給メーカーにおいて、需要者からの発注に好適に応えるためには余剰在庫を抱えておく必要があるが、このような余剰在庫を抱えることは供給メーカーにとって経済的に負担であるという問題があった。
【０００３】
上記問題を解決するため、所定の建物における建設現場に部材を供給できる所定エリア内にある特定の供給メーカーに対し、その建物の建設に必要な部材の調達予定を閲覧可能とする建物の部材発注予告システムが開示されている（例えば、特許文献１を参照）。
【特許文献１】特開２００４−２２０４０８号公報
【発明の開示】
【発明が解決しようとする課題】
【０００４】
しかし、特許文献１の建物の部材発注予告システムは、単に、需要者が建物の建設に必要な部材の調達予定を開示するだけであり、実際に需要者が所定の部材を発注した場合に、その発注した部材が納入されるか否かは不明である。また、発注された機器がいつ納入されるかも不明である。そして、これらが本発明における課題である。
【０００５】
本発明は、上記課題を解決するため、所定の工事に必要な機器の在庫状況や入荷スケジュール等の情報を提供可能な情報提供システムを提供することを目的とする。
【課題を解決するための手段】
【０００６】
本発明者らは、例えば、需要者が、工事に必要な機器や工事スケジュール等の工事情報を供給者側に提供し、供給者は、その提供された工事情報に基づいて工事に必要な機器に関する在庫状況や入荷スケジュール等の情報を提供することで、上記課題を解決できることを見出し、本発明を完成させた。
【０００７】
（１）  需要者用端末と、所定の通信網を介して前記需要者用端末に接続される供給者用サーバと、を備える情報提供システムであって、前記需要者用端末は、所定の工事における工事スケジュール及び該工事に必要な所定の機器に関する情報を含む工事情報を入力可能な工事情報入力手段と、前記工事情報入力手段により入力される前記工事情報を前記供給者用サーバに出力可能な需要者用端末側出力手段と、を備え、前記供給者用サーバは、前記需要者用端末側出力手段から出力される前記工事情報を取得可能な供給者用サーバ側取得手段と、異なる複数の機器に関する在庫状況及び／又は入荷スケジュールに関する情報を含む機器情報を記憶する記憶手段と、前記供給者用サーバ側取得手段により取得される前記工事情報に基づいて、前記記憶手段に記憶される前記機器情報から該工事情報に含まれる前記所定の機器における在庫状況及び／又は入荷スケジュールに関する在庫・入荷情報を抽出可能な抽出手段と、前記抽出手段により抽出される前記在庫・入荷情報を前記需要者用端末に出力する供給者用サーバ側出力手段と、を備える情報提供システム。
【０００８】
（１）の情報提供システムは、需要者用端末と、所定の通信網を介して需要者用端末に接続される供給者用サーバと、を備える情報提供システムであって、需要者用端末は、所定の工事における工事スケジュール及び該工事に必要な所定の機器に関する情報を含む工事情報を入力可能な工事情報入力手段と、工事情報入力手段により入力される工事情報を供給者用サーバに出力可能な需要者用端末側出力手段と、を備え、供給者用サーバは、需要者用端末側出力手段から出力される工事情報を取得可能な供給者用サーバ側取得手段と、異なる複数の機器に関する在庫状況及び／又は入荷スケジュールに関する情報を含む機器情報を記憶する記憶手段と、供給者用サーバ側取得手段により取得される工事情報に基づいて、記憶手段に記憶される機器情報から該工事情報に含まれる所定の機器における在庫状況及び／又は入荷スケジュールに関する在庫・入荷情報を抽出可能な抽出手段と、抽出手段により抽出される在庫・入荷情報を需要者用端末に出力する供給者用サーバ側出力手段と、を備える。
【０００９】
（２）  前記供給者用サーバは、前記抽出手段により抽出された在庫・入荷情報に基づいて、前記所定の機器を前記工事スケジュールに対応して供給できるかを判断する判断手段と、を更に備え、前記供給者用サーバ側出力手段は、前記判断手段により判断された判断結果情報を前記需要者用端末に出力する（１）に記載の情報提供システム。
【００１０】
（２）の情報提供システムは、供給者用サーバが、抽出手段により抽出された在庫・入荷情報に基づいて、所定の機器を工事スケジュールに対応して供給できるかを判断する判断手段と、を更に備え、供給者用サーバ側出力手段は、判断手段により判断された判断結果情報を需要者用端末に出力する。
【００１１】
（３）  前記供給者用サーバは、前記在庫・入荷情報に基づいて、前記工事スケジュールに対応して前記所定の機器を供給可能な発注の期限を算出する発注期限算出手段と、を更に備え、前記供給者用サーバ側出力手段は、前記発注期限算出手段により算出される発注期限に関する発注期限情報を前記需要者用端末に出力する（１）又は（２）に記載の情報提供システム。
【００１２】
（３）の情報提供システムは、供給者用サーバが、在庫・入荷情報に基づいて、工事スケジュールに対応して所定の機器を供給可能な発注の期限を算出する発注期限算出手段と、を更に備え、供給者用サーバ側出力手段は、発注期限算出手段により算出される発注期限に関する発注期限情報を需要者用端末に出力する。
【００１３】
（４）  前記需要者用端末は、前記所定の機器を発注する発注手段と、を更に備え、前記供給者用サーバは、前記発注手段により発注された前記所定の機器における納入スケジュールを算出する納入スケジュール算出手段と、を更に備え、前記供給者用サーバ側出力手段は、前記納入スケジュール算出手段により算出される納入スケジュールに関する納入スケジュール情報を前記需要者用端末に出力する（１）から（３）のいずれかに記載の情報提供システム。
【００１４】
（４）の情報提供システムは、需要者用端末が、所定の機器を発注する発注手段と、を更に備え、供給者用サーバは、発注手段により発注された所定の機器における納入スケジュールを算出する納入スケジュール算出手段と、を更に備え、供給者用サーバ側出力手段は、納入スケジュール算出手段により算出される納入スケジュールに関する納入スケジュール情報を需要者用端末に出力する。
【００１５】
（５）  前記需要者用端末は、所定の工事内容又は所定の不良内容を入力する工事・不良入力手段と、を更に備え、前記供給者用サーバは、前記工事・不良入力手段により入力される工事内容又は不良内容に応じて、前記記憶手段に記憶される前記異なる複数の機器から１又は複数の機器を提示する提示手段と、を更に備え、前記供給者用サーバ側出力手段は、前記提示手段により提示される前記１又は複数の機器に関する情報である機器提示情報を前記需要者用端末に出力する（１）から（４）のいずれかに記載の情報提供システム。
【００１６】
（５）の情報提供システムは、需要者用端末が、所定の工事内容又は所定の不良内容を入力する工事・不良入力手段と、を更に備え、供給者用サーバが、工事・不良入力手段により入力される工事内容又は不良内容に応じて、記憶手段に記憶される異なる複数の機器から１又は複数の機器を提示する提示手段と、を更に備え、供給者用サーバ側出力手段は、提示手段により提示される１又は複数の機器に関する情報である機器提示情報を需要者用端末に出力する。
【００１７】
（６）  所定の通信網を介して需要者用端末に接続される供給者用サーバであって、前記需要者用端末から出力される所定の工事における工事スケジュール及び該工事に必要な所定の機器に関する情報を含む工事情報を取得可能な供給者用サーバ側取得手段と、異なる複数の機器に関する在庫状況及び／又は入荷スケジュールに関する情報を含む機器情報を記憶する記憶手段と、前記供給者用サーバ側取得手段により取得される前記工事情報に基づいて、前記記憶手段に記憶される前記機器情報から該工事情報に含まれる前記所定の機器における在庫状況及び／又は入荷スケジュールに関する在庫・入荷情報を抽出可能な抽出手段と、前記抽出手段により抽出される前記在庫・入荷情報を前記需要者用端末に出力する供給者用サーバ側出力手段と、を備える供給者用サーバ。
【００１８】
（６）の供給者用サーバは、所定の通信網を介して需要者用端末に接続される供給者用サーバであって、需要者用端末から出力される所定の工事における工事スケジュール及び該工事に必要な所定の機器に関する情報を含む工事情報を取得可能な供給者用サーバ側取得手段と、異なる複数の機器に関する在庫状況及び／又は入荷スケジュールに関する情報を含む機器情報を記憶する記憶手段と、供給者用サーバ側取得手段により取得される工事情報に基づいて、記憶手段に記憶される機器情報から該工事情報に含まれる所定の機器における在庫状況及び／又は入荷スケジュールに関する在庫・入荷情報を抽出可能な抽出手段と、抽出手段により抽出される在庫・入荷情報を需要者用端末に出力する供給者用サーバ側出力手段と、を備える。
【００１９】
（７）  前記抽出情報により抽出された在庫・入荷情報に基づいて、前記工事情報に含まれる前記所定の機器の供給が前記工事スケジュールに対応可能であるかを判断する判断手段と、を更に備え、前記供給者用サーバ側出力手段は、前記判断手段により判断された判断結果情報を前記需要者用端末に出力する（６）に記載の供給者用サーバ。
【００２０】
（７）の供給者用サーバは、抽出情報により抽出された在庫・入荷情報に基づいて、工事情報に含まれる所定の機器の供給が工事スケジュールに対応可能であるかを判断する判断手段と、を更に備え、供給者用サーバ側出力手段は、判断手段により判断された判断結果情報を需要者用端末に出力する。
【００２１】
（８）  前記在庫・入荷情報に基づいて、前記工事スケジュールに対応して前記所定の機器を供給可能な発注の期限を算出する発注期限算出手段と、を更に備え、前記供給者用サーバ側出力手段は、前記発注期限算出手段により算出される発注期限に関する発注期限情報を前記需要者用端末に出力する（６）又は（７）に記載の供給者用サーバ。
【００２２】
（８）の供給者用サーバは、在庫・入荷情報に基づいて、工事スケジュールに対応して所定の機器を供給可能な発注の期限を算出する発注期限算出手段と、を更に備え、供給者用サーバ側出力手段は、発注期限算出手段により算出される発注期限に関する発注期限情報を需要者用端末に出力する。
【００２３】
（９）  前記需要者用端末により発注された前記所定の機器における納入スケジュールを算出する納入スケジュール算出手段と、を更に備え、前記供給者用サーバ側出力手段は、前記納入スケジュール算出手段により算出される納入スケジュールに関する納入スケジュール情報を前記需要者用端末に出力する（８）に記載の供給者用サーバ。
【００２４】
（９）の供給者用サーバは、需要者用端末により発注された所定の機器における納入スケジュールを算出する納入スケジュール算出手段と、を更に備え、供給者用サーバ側出力手段は、納入スケジュール算出手段により算出される納入スケジュールに関する納入スケジュール情報を需要者用端末に出力する。
【００２５】
（１０）  前記需要者用端末から出力される工事内容又は不良内容に応じて、前記記憶手段に記憶される前記異なる複数の機器から１又は複数の機器を提示する提示手段と、を備え、前記供給者用サーバ側出力手段は、前記提示手段により提示される前記１又は複数の機器に関する情報である機器提示情報を前記需要者用端末に出力する請求項６から９のいずれかに記載の供給者用サーバ。
【００２６】
（１０）の供給者用サーバは、需要者用端末から出力される工事内容又は不良内容に応じて、記憶手段に記憶される異なる複数の機器から１又は複数の機器を提示する提示手段と、を備え、供給者用サーバ側出力手段は、提示手段により提示される１又は複数の機器に対する情報である機器提示情報を需要者用端末に出力する。
【発明の効果】
【００２７】
本発明によれば、所定の工事に必要な機器の在庫状況や入荷スケジュール等の情報を提供可能な情報提供システムを提供することができる。
【発明を実施するための最良の形態】
【００２８】
以下、図面を参照して本発明を実施するための最良の形態を説明する。
【００２９】
図１は、本発明の情報提供システムを使用する需要者と供給者とを説明する概念図である。図２は、本発明の情報提供システムを説明するブロック図である。図３は、工事情報を含む工事情報テーブルの一例である。図４は、在庫・入荷情報を含む在庫・入荷情報テーブルの一例である。図５は、需要者用端末における表示例である。図６は、本発明における情報提供システムの第１の動作例を説明するフローチャートである。図７は、本発明における情報提供システムの第２の動作例を説明するフローチャートである。図８は、本発明における情報提供システムの第３の動作例を説明するフローチャートである。図９は、本発明の情報提供システムにおける第４の動作例を説明するフローチャートである。図１０は、本発明の情報提供システムにおける第５の動作例を説明するフローチャートである。
【００３０】
「１」概要
図１により、本発明の情報提供システム１を使用する需要者８００と、供給者９００とを説明する。所定の工事を行う需要者８００は、工事スケジュール８１０やその工事に必要な機器の情報を含む工事情報８２０を、機器の供給者９００に提供する。供給者９００は、倉庫９２０等における工事に必要な機器の在庫状況を確認すると共に、その機器の製造工場９１０からの入荷スケジュールを確認する。そして、供給者９００は、需要者８００に在庫状況や入荷スケジュール等の在庫・入荷情報を提供する。
【００３１】
需要者８００は、供給者９００から提供された在庫・入荷情報を確認し、適宜、工事に必要な機器を供給者９００に発注８４０する。供給者９００は、需要者８００からの発注８４０を受けて、所定の納入スケジュールに基づいて工事に必要な機器を需要者８００に納入９５０する。そして、需要者８００は、供給者９００から納入９５０された機器を用いて所定の工事８５０を行う。
【００３２】
「２」情報提供システムの全体構成
図２により、本実施形態における情報提供システム１の全体構成を説明する。
【００３３】
図２に示すように、本実施形態における情報提供システム１は、需要者用端末２と、需要者用端末２と所定の通信網５を介して通信可能に接続される供給者用サーバ３と、供給者用サーバ３に接続される供給者用端末４と、を備える。
【００３４】
需要者用端末２は、後述する入力部２０から入力された工事情報等の所定の情報を、通信網５を介して供給者用サーバ３に出力する。
【００３５】
供給者用サーバ３は、需要者用端末２から出力された所定の情報を取得すると共に、この取得した所定の情報に基づいて、供給者用サーバ３における供給者用サーバ側制御部３１により、供給者用サーバ側記憶部３３に記憶される機器情報３３０から所定の機器に関する情報を抽出等する。
【００３６】
そして、この抽出等された所定の機器に関する情報は、通信網５を介して需要者用端末２に出力される。需要者用端末２は、この所定の機器に関する情報を取得し、需要者用端末側表示部２９に需要者８００が確認できる所定の形式で表示させることができる。
【００３７】
本実施形態における情報提供システム１の概要は上述の通りであり、該情報提供システム１を構成する各要素については、以下に詳述する通りである。
【００３８】
「３」各構成要素
「３．１」需要者用端末２
需要者用端末２は、後述する所定の情報を入力可能な入力部２０と、機器情報３３０を含む所定の情報を記憶可能な需要者用端末側記憶部２５と、需要者用端末側制御部２７と、需要者用端末側表示部２９と、所定の情報を供給者用サーバ３に出力可能であると共に、供給者用サーバ３からの情報を取得可能な需要者用端末側通信部２８と、を備える。
【００３９】
入力部２０は、工事情報入力部２１と、発注部２２と、工事・不良入力部２３とを含む。工事情報入力手段である工事情報入力部２１は、所定の工事における工事に必要な所定の機器に関する情報及び工事スケジュールを含む工事情報を入力可能である。
【００４０】
需要者用端末２の発注部２２は、発注手段として作用し、工事に必要な所定の機器を発注することが可能である。
【００４１】
工事・不良入力手段である工事・不良入力部２３は、例えば、所定の工事に必要な機器が不明である場合や、所定の不良により必要になる機器が不明である場合等において、その工事内容や不良の内容を入力する。これにより。後述する機器提示部３１５により、所定の機器が提示される。
【００４２】
需要者用端末側記憶部２５は、入力部２０により入力された内容や、工事情報を含む所定に情報等を記憶することができる。この需要者用端末側記憶部２５は、所定の揮発性又は不揮発性の記憶媒体を用いることができる。
【００４３】
需要者用端末側制御部２７は、例えば、入力部２０から入力される情報や、需要者用端末側通信部２８を介して外部から入力されて各種情報を所定の条件に従って処理する。この需要者用端末側通信部２８は、例えば、ＣＰＵ等を用いることができる。
【００４４】
需要者用端末側出力手段及び需要者用端末側取得手段である需要者用端末側通信部２８は、需要者用端末２から外部に所定の情報を出力可能であると共に、外部から所定の情報を取得可能である。需要者用端末側通信部２８は、所定の通信網５を介して供給者用サーバ３における供給者用サーバ側通信部３８と通信可能に接続される。所定の通信網５とは、例えば、インターネット等の公衆通信網や、電話回線等により構築される特定者のみが情報の交換ができる非公開の通信網を含む。
【００４５】
「３．２」供給者用サーバ３
供給者用サーバ３は、需要者用端末２と所定の通信網５を介して通信可能に接続される。供給者用サーバ３は、供給者用サーバ側制御部３１と、供給者用サーバ側記憶部３３と、供給者用サーバ側通信部３８と、を備える。
【００４６】
供給者用サーバ側制御部３１は、在庫・入荷情報抽出手段としての在庫・入荷情報抽出部３１１と、判断手段である判断部３１２と、発注期限算出手段である発注期限算出部３１３と、納入スケジュール算出手段である納入スケジュール算出部３１４と、機器の提示手段である機器提示部３１５と、を備える。
【００４７】
在庫・入荷情報の抽出手段としての在庫・入荷情報抽出部３１１は、供給者用サーバ側通信部３８により取得される工事情報に基づいて、供給者用サーバ側記憶部３３に記憶される機器情報３３０から、工事情報に含まれる所定の機器における在庫状況及び／又は入荷スケジュールに関する在庫・入荷情報を抽出する。
【００４８】
在庫・入荷情報抽出部３１１により抽出された在庫・入荷情報は、供給者用サーバ側通信部３８を介して、需要者用端末２に出力される。需要者用端末２は、需要者用端末側通信部２８を介して在庫・入荷情報を取得する。取得された在庫・入荷情報は、需要者用端末側記憶部２５に記憶される。
【００４９】
そして、在庫・入荷情報は、需要者用端末側制御部２７により所定の処理がなされ、需要者用端末側表示部２９に所定の形式で表示される。これにより、需要者８００は、工事に必要な所定の機器の在庫・入荷状況を視覚的に確認することができる。この在庫・入荷状況を確認した需要者８００は、所定の機器を発注部２２により発注することや、工事情報入力部２１により変更した工事スケジュールを含む工事情報を再度入力することができる。
【００５０】
判断手段である判断部３１２は、在庫・入荷情報抽出部３１１により抽出された所定の機器における在庫・入荷情報に基づいて、該所定の機器を工事スケジュールに対応して供給できるかを判断する。判断部３１２は、需要者８００が工事情報入力部２１により入力した工事情報における工事スケジュールに対応して所定の機器の提供ができないという判断又は、工事スケジュールに対応した所定の機器の提供ができるという判断をする。
【００５１】
この判断内容を示す判断結果情報は、上述と同様に需要者用端末２に出力され、所定の表示等により需要者８００に確認される。そして、所定の機器を工事スケジュールに対応して納入可能という判断結果である場合、需要者８００は、所定の機器を発注部２２により発注することができる。
【００５２】
発注期限算出手段である発注期限算出部３１３は、在庫・入荷情報に基づいて、工事スケジュールに対応して所定の機器を供給可能である場合の発注期限を算出する。この算出された発注期限に関する発注期限情報は、上述のように需要者用端末２に出力され、所定の表示等により需要者８００に確認される。これにより、需要者８００は、いつまでに発注すれば良いかを認識することができる。
【００５３】
納入スケジュール算出手段である納入スケジュール算出部３１４は、発注部２２により発注された所定の機器における納入スケジュールを算出する。例えば、工事情報に含まれる工事スケジュールに基づいた機器の納入スケジュールを算出することができる。詳細には、工事スケジュールにおける工程ごとに、その工程に必要な機器を工事スケジュールに沿って納入する納入スケジュールを算出することができる。
【００５４】
この納入スケジュールに関する納入スケジュール情報は、上述と同様に需要者用端末２に出力され、所定の表示等により需要者８００に確認される。そして、需要者８００は、この納入スケジュールが好ましい場合には、この算出された納入スケジュールに基づいて所定の機器を納入させることができる。
【００５５】
機器の提示手段である機器提示部３１５は、工事・不良入力部２３により入力される工事内容又は不良内容に応じて、供給者用サーバ側記憶部３３に記憶される異なる複数の機器から１又は複数の機器を抽出して提示する。詳細には、工事・不良入力部２３により入力される工事内容又は不良内容から必要となる機器を予測し、供給者用サーバ側記憶部３３に記憶される異なる複数の機器からリストアップして提示する。
【００５６】
この提示された機器に関する機器提示情報は、上述と同様に需要者用端末２に出力され、所定の表示等により需要者８００に確認される。そして、需要者８００は、この提示された機器から所定の機器を選択して発注することができる。例えば、需要者用端末２における入力部２０に不図示の選択部を備えることができ、この選択部により、機器提示情報に含まれる機器から所定の機器を選択するように構成することができる。
【００５７】
供給者用サーバ側の記憶手段である供給者用サーバ側記憶部３３は、異なる複数の機器に関する情報である機器情報３３０を記憶する。機器情報３３０は、異なる複数の機器それぞれにおける仕様３３１と、異なる複数の機器それぞれにおける在庫状況３３２と、異なる複数の機器それぞれにおける入荷スケジュール３３３等を含む。
【００５８】
仕様３３１は、機器それぞれの構成や機能を示す。また、機器提示部３１５によりリストアップされるための所定の情報を含ませることができる。在庫状況３３２は、機器それぞれにおける在庫の有無及び在庫数を含む情報である。入荷スケジュール３３３は、機器それぞれの入荷予定及び入荷数を含む情報である。
【００５９】
供給者用サーバ側出力手段及び供給者用サーバ側取得手段である供給者用サーバ側通信部３８は、需要者用端末２から出力される所定の情報を取得可能であると共に、供給者用サーバ３から需要者用端末２に所定の情報を出力することができる。供給者用サーバ側通信部３８は、所定の通信網５を介して需要者用端末側通信部２８と通信可能に接続される。
【００６０】
「３．３」供給者用端末４
供給者用端末４は、供給者用端末側入力部４０と、供給者用端末側記憶部４５と、供給者用端末側制御部４７と、供給者用端末側表示部４９と、を備える。
【００６１】
供給者用端末側入力部４０は、例えば、供給者用サーバ側記憶部３３に記憶される機器情報３３０の内容を入力することができる。機器の在庫状況３３２や入荷スケジュール３３３を入力することができ、また、変更することができる。
【００６２】
供給者用端末側記憶部４５は、所定の機器における在庫状況３３２や入荷スケジュール３３３等の所定の情報を記憶することができる。また、例えば、供給者用端末側入力部４０により在庫状況の変更を適宜入力すると共に、この変更された情報を供給者用端末側記憶部４５に記憶することができる。そして、この記憶された情報を定期的に供給者用サーバ側記憶部３３に記憶させることで、供給者用サーバ側記憶部３３の情報を更新することができる。
【００６３】
供給者用端末側制御部４７は、上述のように、供給者用端末側記憶部４５に記憶される所定の情報を、供給者用サーバ側記憶部３３に記憶させる等の所定の制御をすることができる。
【００６４】
供給者用端末側表示部４９は、供給者用端末側記憶部４５に記憶される情報を所定の形式で表示することができる。また、例えば、供給者用サーバ側記憶部３３に記憶される情報を所定の形式で表示させることができる。
【００６５】
「３．４」情報テーブル
「３．４．１」
図３により、例えば、供給者用サーバ側記憶部３３に記憶される工事情報テーブル４００の一例について説明する。
【００６６】
図３に示すように、工事情報テーブル４００は、工事の予定を示す工事希望日４１０と、機器の種類を示す識別名４２０と、各工事希望日４１０ごとに必要な各機器の個数を示す台数４３０と、を含む。ここで、工事現場が複数ある場合には、その工事現場ごとに工事情報テーブル４００をつくることもできる。
【００６７】
工事希望日４１０は、日付により規定することができる。識別名４２０は、機器の名称や機器の仕様が簡易に表示された記号等により規定することができる。台数４３０は、工事希望日４１０ごとに必要な機器の台数で規定することができる。
【００６８】
「３．４．２」
図４により、例えば、供給者用サーバ側記憶部３３に記憶される在庫・入荷情報テーブルの一例について説明する。
【００６９】
図４に示すように、在庫・入荷情報を含む在庫・入荷情報テーブル５００は、機器の種類を示す機器名称５１０と、機器の仕様を示す仕様５２０と、機器の用途を示す用途５３０と、機器の在庫状況を示す在庫状況５４０と、機器の入荷状況を示す入荷スケジュール５５０と、を含む。
【００７０】
機器名称５１０は、機器の名称や機器を識別可能な記号等により規定することができる。仕様５２０は、機器それぞれの構造や機能により規定することができる。用途５３０は、機器それぞれの用途や使用場所等により規定することができる。この用途５３０には、所定の工事や不良に応じた機器としてリストアップための所定の情報を含ませることができる。
【００７１】
在庫状況５４０は、保管場所５４１と、在庫数５４３とを含む。保管場所５４１は、機器の在庫場所により規定することができる。例えば、倉庫の名称や場所により規定することができる。在庫数５４３は、保管場所５４１それぞれに保管されている地域それぞれの個数により規定することができる。
【００７２】
入荷スケジュール５５０は、入荷場所５５１と、入荷予定日５５３と、入荷数５５５とを含む。入荷場所５５１は、機器が入荷される先の倉庫等の名称や場所で規定することができる。入荷予定日５５３は、各機器が入荷する予定の日付等で規定することができる。入荷数５５５は、各入荷場所５５１の各入荷予定日５５３における入荷する所定の機器における台数で規定することができる。
【００７３】
「４」動作例
「４．１」需要者用端末２における動作例
図５により、需要者用端末２における所定の操作を中心に、本実施形態における情報提供システム１の動作を説明する。具体的には、需要者用端末側表示部２９における所定の表示に基づいて、情報提供システム１の動作を説明する。
【００７４】
図５に示すように、需要者用端末側表示部２９における表示の一例においては、工事情報入力２１０と、発注２５０とを含む。
【００７５】
工事情報入力２１０は、機器名２１１と、数量２１３と、納期２１５と、納入場所２１７と、を含む。これらは、例えば、所定のボックスにより囲まれた領域とすることができ、需要者用端末側表示部２９の画面上に表示される矢印を該ボックス上に配置して、需要者用端末２に接続される不図示のマウスによるクリック操作等の所定の操作をすることで、図５における表示画面が所定の入力画面に遷移するよう構成できる。
【００７６】
上記のように構成した場合、機器名２１１に矢印を移動させて所定の操作をすることで、工事に必要な機器の名称等を入力や指定することができる。また、同様に、数量２１３、納期２１５、納入場所２１７に矢印を移動させて所定の操作をすることで、工事に必要な所定の機器の数量、工事スケジュールを示す納期、工事現場等を示す納入場所を入力や指定することができる。
【００７７】
発注２５０は、機器名２５１と、数量２５３と、納期２５５と含む。これらは、上記と同様に、所定のボックスにより囲まれた領域とすることができ、上記矢印を該ボックス上に配置して所定の操作をすることで、それぞれの入力画面に遷移するよう構成できる。
【００７８】
例えば、機器名２５１に矢印を移動させて所定の操作をすることで、発注する機器の名称等を入力や指定することができる。また、同様に、数量２５３、納期２５５に矢印を移動させて所定の操作をすることで、発注する機器の数量や納期を入力や指定をすることができる。
【００７９】
また、発注２５０は、工事情報入力済分呼び出し２５７を含む。この工事情報入力済分呼び出し２５７は、全部２５９と、入力日付指定２６１とを含む。これらは、上記と同様に、所定のボックスにより囲まれた領域とすることができ、上記矢印を該ボックス上に配置して所定の操作をすることで、それぞれの入力画面に遷移するよう構成できる。
【００８０】
例えば、全部２５９に矢印を移動させて所定の操作をすることで、工事情報入力２１０から既に入力された工事情報を呼び出すことができる。例えば、工事情報入力２１０から入力された所定の工事情報に対応する在庫・入荷情報、判断情報、発注期限情報等を確認した需要者８００が、これらの情報における機器を発注する場合において、全部２５９に矢印を移動させて所定の操作をすることで、既に入力した工事情報の全てが表示可能な画面に遷移させることができる。
【００８１】
そして、遷移した所定の画面に表示される所定の機器を所定の工事スケジュールに対応するタイミングで発注することができる。
【００８２】
また、同様に、入力日付指定２６１に矢印を移動させて所定の操作をすることで、所定の日付を指定することが可能になる。そして、所定の日付を指定することで、既に入力した工事情報のうち、該所定の日付において入力された工事情報だけを呼び出すことができる。これにより、必要な工事情報だけを呼び出すことができる。また、例えば、発注期限情報により示される所定の機器における発注期限が近づいた場合、所定の日付を指定して工事情報を呼び出すことができる。
【００８３】
また、発注２５０は、工事内容入力２６３と、不良内容入力２６５とを含む。これらは、上記と同様に、所定のボックスにより囲まれた領域とすることができ、上記矢印を該ボックス上に配置して所定の操作をすることで、それぞれの入力画面に遷移するよう構成できる。
【００８４】
例えば、工事内容入力２６３に矢印を移動させて所定の操作をすることで、工事の種類・内容を入力や指定することができる。この入力や指定された工事の種類・内容に関する情報は、図２における需要者用端末側通信部２８を介して供給者用サーバ３に出力される。そして、供給者用サーバ３における機器提示部３１５は、工事の種類・内容に関する情報に基づいて該工事の種類・内容に適した所定の機器を提示する。
【００８５】
そして、例えば、需要者用端末２における需要者用端末側表示部２９に、提示された機器のリストが表示されるよう構成することができ、需要者８００は、表示された提示機器から必要な機器を発注することができる。
【００８６】
また、同様に、不良内容入力２６５に矢印を移動させて所定の操作をすることで、不良の種類・内容を入力や指定することができる。この入力や指定された不良の種類・内容に関する情報は、図２における需要者用端末側通信部２８を介して供給者用サーバ３に出力される。そして、供給者用サーバ３における機器提示部３１５は、不良の種類・内容に関する情報に基づいて該不良の種類・内容に適した所定の機器を提示する。
【００８７】
そして、上記と同様に、例えば、需要者用端末２における需要者用端末側表示部２９に、提示された機器のリストが表示されるよう構成することができ、需要者８００は、表示された提示機器から必要な機器を発注することができる。
【００８８】
「４．２」フローチャートによる動作の説明
図６から図１０に記載のフローチャートにより、本実施形態の情報提供システム１における各構成要素の動作について説明する。
【００８９】
「４．２．１」第１の動作例
図６に示すフローチャートにより、情報提供システム１における第１の動作例を説明する。図１における需要者８００は、図２における需要者用端末２の工事情報入力部２１から所定の機器及び工事スケジュールを含む工事情報を入力する（ステップＳＴ１１０）。この入力された工事情報は、需要者用端末側通信部２８から出力され所定の通信網５を介して供給者用サーバ３に出力される（ステップＳＴ１２０）。供給者用サーバ３は、供給者用サーバ側通信部３８を介して、需要者用端末２から出力された工事情報を取得する（ステップＳＴ１３０）。そして、在庫・入荷情報抽出部３１１は、取得された工事情報に基づいて所定の機器における在庫状況や入荷スケジュール等である在庫・入荷情報を抽出する（ステップＳＴ１４０）。この抽出された在庫・入荷情報は、供給者用サーバ側通信部３８から需要者用端末２に出力される（ステップＳＴ１５０）。そして、需要者用端末側通信部２８により取得された在庫・入荷情報は、需要者用端末側表示部２９により、例えば、所定の表やグラフ等により視認可能に表示される。これにより、需要者８００は、入力した工事情報に含まれる機器の在庫状況や入荷スケジュールを確認することができる。
【００９０】
「４．２．２」第２の動作例
図７に示すフローチャートにより、情報提供システム１における第２の動作例を説明する。図１における需要者８００は、図２における需要者用端末２の工事情報入力部２１から所定の機器及び工事スケジュールを含む工事情報を入力する（ステップＳＴ２１０）。この入力された工事情報は、需要者用端末側通信部２８から出力され所定の通信網５を介して供給者用サーバ３に出力される（ステップＳＴ２２０）。供給者用サーバ３は、供給者用サーバ側通信部３８を介して、需要者用端末２から出力された工事情報を取得する（ステップＳＴ２３０）。在庫・入荷情報抽出部３１１は、取得された工事情報に基づいて所定の機器における在庫状況や入荷スケジュール等である在庫・入荷情報を抽出する（ステップＳＴ２４０）。
【００９１】
そして、抽出された在庫・入荷情報に基づいて、判断部３１２は、所定の機器を工事スケジュールに対応して納入可能であるかを判断する（ステップＳＴ２５０）。この判断部３１２により判断された結果である判断結果情報は、供給者用サーバ側通信部３８から需要者用端末２に出力される（ステップＳＴ２６０）。そして、需要者用端末側通信部２８により取得された判断結果情報は、需要者用端末側表示部２９により、例えば、所定の文字や記号により表示される。これにより、需要者８００は、入力した工事情報に含まれる機器が、入力した工事スケジュールに対応して納入されるか否かを確認できる。
【００９２】
「４．２．３」第３の動作例
図８に示すフローチャートにより、情報提供システム１における第３の動作例を説明する。図１における需要者８００は、図２における需要者用端末２の工事情報入力部２１から所定の機器及び工事スケジュールを含む工事情報を入力する（ステップＳＴ３１０）。この入力された工事情報は、需要者用端末側通信部２８から出力され所定の通信網５を介して供給者用サーバ３に出力される（ステップＳＴ３２０）。供給者用サーバ３は、供給者用サーバ側通信部３８を介して、需要者用端末２から出力された工事情報を取得する（ステップＳＴ３３０）。在庫・入荷情報抽出部３１１は、取得された工事情報に基づいて所定の機器における在庫状況や入荷スケジュール等である在庫・入荷情報を抽出する（ステップＳＴ３４０）。
【００９３】
そして、抽出された在庫・入荷情報に基づいて、発注期限算出部３１３は、工事スケジュールに対応した納入が可能な場合における発注の期限を算出する（ステップＳＴ３５０）。この発注期限算出部３１３により算出される発注期限の情報である発注期限情報は、供給者用サーバ側通信部３８から需要者用端末２に出力される（ステップＳＴ３６０）。そして、需要者用端末側通信部２８により取得された発注期限情報は、需要者用端末側表示部２９により、例えば、所定の表やグラフ等により視認可能に表示される。これにより、需要者８００は、入力した工事情報に含まれる機器が、入力した工事スケジュールに対応して納入されるためには、いつまでに発注する必要があるかを確認できる。
【００９４】
「４．２．４」第４の動作例
図９に示すフローチャートにより、情報提供システム１における第４の動作例を説明する。図１における需要者８００は、図２における需要者用端末２の発注部２２から所定の機器及び工事スケジュール等の納期に関する情報を入力して発注する（ステップＳＴ４１０）。この発注部２２により入力された発注情報は、需要者用端末側通信部２８から出力され所定の通信網５を介して供給者用サーバ３に出力される。供給者用サーバ３は、供給者用サーバ側通信部３８を介して、需要者用端末２から出力された発注情報を取得する。
【００９５】
納入スケジュール算出部３１４は、発注情報に含まれる発注された機器と工事スケジュール等の納期に基づいて、工事スケジュールに適した機器の納入スケジュールを算出する（ステップＳＴ４２０）。この納入スケジュール算出部３１４により算出された納入スケジュール情報は、供給者用サーバ側通信部３８から需要者用端末２に出力される（ステップＳＴ４３０）。そして、需要者用端末側通信部２８により取得された納入スケジュール情報は、需要者用端末側表示部２９により、例えば、所定の表やグラフ等により視認可能に表示される。これにより、需要者８００は、入力した工事情報に含まれる機器が入力した工事スケジュールに対して、どのようなスケジュールで納入されるのかを確認することができる。
【００９６】
「４．２．５」第５の動作例
図１０に示すフローチャートにより、情報提供システム１における第５の動作例を説明する。図１における需要者８００は、図２における需要者用端末２の工事・不良入力部２３から所定の工事や不良の内容に関する情報を入力する（ステップＳＴ５１０）。この工事・不良入力部２３により入力された工事や不良に関する情報は、需要者用端末側通信部２８から出力され所定の通信網５を介して供給者用サーバ３に出力される。供給者用サーバ３は、供給者用サーバ側通信部３８を介して、需要者用端末２から出力された工事や不良の内容に関する情報を取得する。
【００９７】
機器提示部３１５は、工事や不良の内容に関する情報に基づいて、その工事や不良により必要となる１又は複数の機器を提示する（ステップＳＴ５２０）。この提示された機器に関する情報である機器提示情報は、供給者用サーバ側通信部３８から需要者用端末２に出力される。そして、需要者用端末側通信部２８により取得された機器提示情報は、需要者用端末側表示部２９により、例えば、所定の表や機器の列記等により視認可能に表示される。これにより、需要者８００は、入力した工事や不良の内容に必要とされる機器を確認することができる。更に、需要者８００は、需要者用端末２における発注部２２により、これら提示された機器から所定の機器を選択して発注することができる（ステップＳＴ５３０）。
【図面の簡単な説明】
【００９８】
【図１】本発明の情報提供システムを使用する需要者と供給者とを説明する概念図である。
【図２】本発明の情報提供システムを説明するブロック図である。
【図３】工事情報を含む工事情報テーブルの一例である。
【図４】在庫・入荷情報を含む在庫・入荷情報テーブルの一例である。
【図５】需要者用端末における表示例である。
【図６】本発明における情報提供システムの第１の動作例を説明するフローチャートである。
【図７】本発明における情報提供システムの第２の動作例を説明するフローチャートである。
【図８】本発明における情報提供システムの第３の動作例を説明するフローチャートである。
【図９】本発明の情報提供システムにおける第４の動作例を説明するフローチャートである。
【図１０】本発明の情報提供システムにおける第５の動作例を説明するフローチャートである。
【符号の説明】
【００９９】
１      情報システム
２      需要者用端末
３      供給者用サーバ
４      供給者用端末
２１    工事情報入力部
２８    需要者用端末側通信部
３１    供給者用サーバ側制御部
３３    供給者用サーバ側記憶部
３８    供給者用サーバ側通信部
３１１  在庫・入荷情報抽出部
３３０  機器情報
【図１】
0005170978.tif 000002
【図２】
0005170978.tif 000003
【図３】
0005170978.tif 000004
【図４】
0005170978.tif 000005
【図５】
0005170978.tif 000006
【図６】
0005170978.tif 000007
【図７】
0005170978.tif 000008
【図８】
0005170978.tif 000009
【図９】
0005170978.tif 000010
【図１０】
0005170978.tif 000011